(57)【要約】【課題】施工が容易でありながら、浴槽と壁面パネルとの隙間に侵入する水に対して、排水対策がなされた浴槽取付構造を提供する。【解決手段】浴室の壁面パネル４に取付けられた固定具３に、浴槽２のフランジ部２ａを掛止固定して、浴槽２を取付ける構造とした浴槽取付構造において、上記固定具３は、主枠部Ａと、該主枠部Ａの左右両側に延設される折返枠部Ｂとが平面視してコの字状の枠体３ａに形成されており、上記枠体３ａの上端には、排水勾配を形成した樋部３ｂと、上記フランジ部２ａを掛け止めする掛止部３ｃとが連なって形成されていることを特徴とする。【選択図】図１
2006230460.tif 000002
【特許請求の範囲】
【請求項１】
浴室の壁面パネルに取付けられた固定具に、浴槽のフランジ部を掛止固定して、浴槽を取付ける構造とした浴槽取付構造において、
上記固定具は、主枠部と、該主枠部の左右両側に延設される折返枠部とが平面視してコの字状の枠体に形成されており、上記枠体の上端には、排水勾配を形成した樋部と、上記フランジ部を掛け止めする掛止部とが連なって形成されていることを特徴とする浴槽取付構造。
【請求項２】
請求項１において、
上記主枠部の樋部は、その中央部を頂点として左右に向かって下り傾斜する排水勾配が形成され、かつ上記折返枠部の樋部は、上記主枠部との連結部を基端とする基端部から終端部に向かって下り傾斜する排水勾配が形成されていることを特徴とする浴槽取付構造。
【発明の詳細な説明】
【技術分野】
【０００１】
本発明は、浴槽取付構造に係り、詳しくは浴槽と浴室の壁面パネルとの隙間から侵入する水を排水可能な浴槽取付構造に関するものである。
【背景技術】
【０００２】
従来より、浴室内のカビ汚れ等を防ぐため、排水性を良くする構造が種々提案されており、その中でも特に手入れの行き届かない場所として、浴槽下の周辺は、簡易な構造でありながら、排水性のよいものが望まれる。
下記特許文献１には、浴槽の外側を外観よく覆い隠すための浴槽のエプロン取付構造において、簡易な構造でありながら、浴槽下周辺への水の侵入を防ぐために、該エプロンを浴槽と隙間なく密接に取付可能な構造が開示されている。
【０００３】
ところで、上述のような従来の浴槽取付構造は、壁面パネルの数箇所に取り付けられた固定具によって、浴槽を固定支持する取り付け構造となっている。
下記特許文献２は、そのような浴槽の取り付け構造に関し、支持具（固定具）における起立状の引掛け部に対して、浴槽のリム部を所定厚みの弾性材を介して接触させるとともに、リム部外面と壁パネル内面との間に所定の隙間を生ぜしめ、その隙間に弾性を有するシール部材を介挿してシールするようになしたものが開示されている。
【特許文献１】特開平１１−７６０８５号公報
【特許文献２】特開平９−２０６２３６号公報
【発明の開示】
【発明が解決しようとする課題】
【０００４】
図４は、従来の浴槽取付構造を示す斜視図である。また、図５は、従来の固定具に浴槽が取付固定された状態を示す要部の部分破断斜視図である。
図中、１００は床パン、２００は浴槽、２００ａは浴槽２００のフランジ部、３００は固定具、３００ａはフランジ部２００ａ周縁の下向きリム部２００ｂを掛止固定する掛止部、４００は壁面パネル、５００は目地、６００は床セキを夫々示している。
この従来の浴槽取付構造によれば、床パン１００の四方に壁面パネル４００を立設し建て込みをした後、壁面パネル４００の適所に複数の固定具３００をビス止めして取り付け、該固定具３００とフランジ部２００ａとを掛止嵌合させることにより、浴槽２００を固定し取付ける構造としている。浴槽２００を据え付ける際には、浴槽２００のフランジ部２００ａをリム部２００ｂをして掛止部３００ａに掛止固定されるように床パン１００の上に浴槽２００を載置し、浴槽２００が固定されたことを確認した後に、目地５００で浴槽２００と壁面パネル４００との間に生じる隙間を塞いで水等の浸入を防ぎ、浴槽下周辺のカビ等の発生を防止せんとしている。
【０００５】
しかしながら、従来の構造においては、浴槽２００と壁面パネル４００との隙間に目地５００を装填させても、防ぎきれず侵入してしまう水に対しては、何ら排水対策がなされていなかった。また、上記隙間から侵入してくる水を防ぐ役目は、目地５００のみが担っているため、目地５００を取り付け施工を必要とし、これにより施工時間が長くなるという問題があった。
【０００６】
本発明は上記課題に鑑みなされたものであり、施工が容易でありながら、浴槽と壁面パネルとの隙間に侵入する水に対して、排水対策がなされた浴槽取付構造を提供するものである。
【課題を解決するための手段】
【０００７】
上記課題を解決するために、提案される請求項１は、浴室の壁面パネルに取付けられた固定具に、浴槽のフランジ部を掛止固定して、浴槽を取付ける構造とした浴槽取付構造において、上記固定具は、主枠部と、該主枠部の左右両側に延設される折返枠部とが平面視してコの字状の枠体に形成されており、上記枠体の上端には、排水勾配を形成した樋部と、上記フランジ部を掛け止めする掛止部とが連なって形成されていることを特徴とする。
ここで上記固定具は、主枠部と左右の折返枠部とが一体成型されるものに限定されず、これらが夫々別体に成型されたものを組み合わせて形成されるものでもよい。
【０００８】
請求項２は、請求項１において、上記主枠部の樋部は、その中央部を頂点として左右に向かって下り傾斜する排水勾配が形成され、かつ上記折返枠部の樋部は、主枠部との連結部を基端とする基端部から終端部に向かって下り傾斜する排水勾配が形成されていることを特徴とする。
【発明の効果】
【０００９】
請求項１によれば、固定具は、主枠部と、該主枠部の左右両側に延設される折返枠部とが平面視してコの字状の枠体に形成されているので、該枠体により浴槽をしっかりと強固に固定することができるので、浴槽の転倒や位置ずれを防止できる。
また枠体の上端には、排水勾配を形成した樋部と、上記フランジ部を掛け止めする掛止部とが連なって形成されているので、浴槽と壁面パネルとの隙間から水が浸入しても、樋部が水受けとなり、排水勾配が形成されているので、これをつたって侵入した水をスムーズに排水することができる。
よって、浴槽と壁面パネルから侵入する水が浴槽下に流下し滞留してしまう心配がないので、目地或いはパッキン等の止水材を用いない構成としてもよい。
上記止水材を用いない構成とした場合は、施工工数を減らすことができる一方、上記止水材を用いる場合は、本発明の排水構造との相乗効果でより一層、浴槽下を清潔に保つことができる。
【００１０】
請求項２によれば、主枠部の樋部は、その中央部を頂点として左右に向かって下り傾斜する排水勾配が形成され、かつ上記折返枠部の樋部は、主枠部との連結部を基端とする基端部から終端部（洗い場側）に向かって下り傾斜する排水勾配が形成されているので、浴槽と壁面パネルとの隙間のどこから水が浸入しても、樋部をつたってその水を排水することができ、また上記終端部に到達した水を浴室の排水口へ導く構成としてやれば、手入れの行き届きにくい浴槽下周辺のカビ等の汚れを防ぐことができる。
【発明を実施するための最良の形態】
【００１１】
以下、図とともに本発明の実施の形態について説明する。
【実施例１】
【００１２】
図１は本発明の浴槽取付構造が採用された浴室内を示した斜視図であり、浴槽を設置する前の状態を示している。図２は本発明の浴槽設置状態の横断平面図、図３は本発明の浴槽取付構造おける固定具の縦断面図であり、（ａ）は図１のＸ−Ｘ部の縦断面図、（ｂ）は図１のＹ−Ｙ部の縦断面図、（ｃ）は図１のＺ−Ｚ部の縦断面図を夫々示している。
【００１３】
図において、１は床パン、２は浴槽、２ａは浴槽のフランジ部、２ｂはフランジ部２ａの周縁に下向きに形成されたリム部、３は浴槽２を固定するための固定具、３ａは固定具３の支持部となりビス止め用のビス孔３ｄが形成されている枠体、３ｂは枠体３ａの上端に連成され、浸水の排水経路となる樋部、３ｃは前記樋部３ｂの上端に連成され、フランジ部２ａのリム部２ｂを掛け止め固定する掛止部、４は床パンの四方に立設される壁面パネル、Ｐは、壁面パネル４と固定具３との間をシールする弾性材製のパッキン部材、５は排水口、６は洗い場側から水等が浴槽下へ流入しないように堰き止める床セキ、７は浴槽下の排水を排水口５へ導く水導き溝、８は浴槽２を外観よく覆い隠すために浴槽２の洗い場側前面に取り付けられるエプロンである。
【００１４】
本発明の浴槽２の取り付け構造は、床パン１の四方に壁面パネル４を立設し、建て込みをした後、壁面パネル４の適所に固定具３を取り付け、浴槽２を床パン１上の支持台（不図示）に載置させ、該固定具３とリム部２ｂとを嵌合させることにより、浴槽２を位置決め固定し取付ける構造としている。ここで浴槽２と壁面パネル４との間にできる隙間に目地或いはパッキン等の止水材（不図示）を用いる構成としてもよいが、本発明の浴槽取付構造によれば、上記隙間から侵入する水の排水性がよいため、該止水材を用いなくてもよい。
ここで固定具３は、浴槽２の転倒防止、位置ずれを防止するために用いられ、浴槽２が設置されたときに、当接する壁面パネル４の三方に、浴槽２の大きさ（深さ等）に応じて浴槽２をセットする前に、適所に設けられたビス孔３ｄを介してビス止めされて取付けられるものである。
【００１５】
本発明の浴槽取付構造に採用される固定具３は、図１に示すように、主枠部Ａと、該主枠部Ａの左右両側に延設される折返枠部Ｂとからなり、平面視してコの字状の枠体３ａに形成されることを特徴とし、且つ該枠体３ａの上端には、排水勾配を形成した樋部３ｂと、フランジ部２ａを掛け止めする掛止部３ｃとが連なって形成されていることを特徴とする。
固定具３はコの字状に一体成型されるものでもよいし、主枠部Ａと折返枠部Ｂとを別体に成型されるものであってもよい。
【００１６】
また本発明の浴槽取付構造に採用される主枠部Ａの樋部３ｂは、その中央部Ｃ１を頂点として左右に向かって下り傾斜する排水勾配が形成され、かつ折返枠部Ｂの樋部３ｂは、主枠部Ａとの連結部Ｃ２を基端とする基端部から終端部Ｃ３に向かって下り傾斜する排水勾配が形成されていることを特徴とする。
【００１７】
図２は浴槽２が設置された状態を示した浴室の横断平面図である。
上述のように、樋部３ｂには、排水勾配が形成されているため、浴槽２と壁面パネル４の間から侵入した水は、樋部３ｂをつたって終端部Ｃ３へと流れ込むよう形成されている。よって、終端部Ｃ３へ流れてきた排水は、終端部Ｃ３から床パン１に形成される水導き溝７に流下し、排水口５に誘導されるので、床パン１上に拡がることなく、また洗い場側へ流れ込むことなく、排水口５より排水される。
【００１８】
図３の（ａ）〜（ｃ）には、主枠部Ａの中央部Ｃ１付近に位置する図１のＸ−Ｘ部の縦断面図、中央部Ｃ１と連結部Ｃ２との中間に位置する図１のＹ−Ｙ部の縦断面図、折返枠部Ｂと連結される連結部Ｃ２付近に位置する図１のＺ−Ｚ部の縦断面図を夫々を図２（ａ）の枠体３ａの上端を基準Ｓに並べて示している。
この図より、主枠部Ａの樋部３ｂは、中央部Ｃ１を頂点として、折返枠部Ｂとの連結部Ｃ２へ向かって下り傾斜していることがわかる。
図２に示されていない、図１に示す他方（正面右方向）の主枠部Ａも、中央部Ｃ１を中心として図２とは対称方向に連結部Ｃ２に向かって下り傾斜しているので、浴槽２と壁面パネル４との間から侵入してきた水は、樋部３ｂをつたって連結部Ｃ２方向へ排水される。
【００１９】
そして連結部Ｃ２に流れてきた排水は、折返枠部Ｂへと流れていく。該折返枠部Ｂにも主枠部Ａと同様に樋部３ｂが形成されており、この折返枠部Ｂの樋部３ｂは、主枠部Ａとの連結部Ｃ２を基端部として、終端部Ｃ３に向かって下り傾斜して形成されている。よって、折返枠部Ｂへ流れてきた排水は次に終端部Ｃ３に向かって排水されることになる。
なお終端部Ｃ３に向かって排水される水は、上記の主枠部Ａから流れてきた排水に限られず、浴槽２と壁面パネル４との間から侵入してきた水も含まれることは言うまでもない。
【図面の簡単な説明】
【００２０】
【図１】本発明の浴槽取付構造が採用された浴室内の一部を示した要部の部分破断斜視図である。
【図２】本発明の浴槽設置状態の横断平面図である。
【図３】本発明の浴槽取付構造おける固定具の縦断面図であり、（ａ）は図１のＸ−Ｘ部の縦断面図、（ｂ）は図１のＹ−Ｙ部の縦断面図、（ｃ）は図１のＺ−Ｚ部の縦断面図図である。
【図４】従来の浴槽取付構造を示す斜視図である。
【図５】従来の固定具に浴槽が取付固定された状態を示す断面斜視図である。
【符号の説明】
【００２１】
１      床パン
２      浴槽
２ａ    フランジ部
３      固定具
３ａ    枠体
３ｂ    樋部
３ｃ    掛止部
４      壁面パネル
【図１】
2006230460.tif 000003
【図２】
2006230460.tif 000004
【図３】
2006230460.tif 000005
【図４】
2006230460.tif 000006
【図５】
2006230460.tif 000007